(57)【要約】【課題】調理工程が終了する前に被調理物の調理不良の有無を判別できる装置を提供する。【解決手段】被調理物Ｘを所定の調理態様により調理する調理工程における調理不良を判別する調理不良判別装置であって、被調理物Ｘを識別する識別符号を記録した情報記録手段Ｂから識別符号を読み取る識別符号読取手段３２と、識別符号読取手段３２によって読み取った識別符号に対応する被調理物Ｘの調理温度条件を基準値Ｔｏとして設定する基準値設定手段２３と、被調理物Ｘの実際の調理温度を測定する調理温度測定手段３４，４０と、調理温度測定手段３４，４０によって測定された調理温度Ｔｒを基準値Ｔｏと比較する比較手段２４と、比較手段２４によって調理温度Ｔｒが基準値Ｔｏと照らして適切でないと判断された場合に警告する警告手段３６と、を備える。【選択図】図７
2014156978.tif 000002
【特許請求の範囲】
【請求項１】
被調理物を所定の調理態様により調理する調理工程における調理不良を判別する調理不良判別装置であって、
前記被調理物を識別する識別符号を記録した情報記録手段から前記識別符号を読み取る識別符号読取手段と、
前記識別符号読取手段によって読み取った前記識別符号に対応する被調理物の調理温度条件を基準値として設定する基準値設定手段と、
前記被調理物の実際の調理温度を測定する調理温度測定手段と、
前記調理温度測定手段によって測定された調理温度を前記基準値と比較する比較手段と、
前記比較手段によって前記調理温度が前記基準値と照らして適切でないと判断された場合に警告する警告手段と、
を備えることを特徴とする調理不良判別装置。
【請求項２】
前記情報記録手段には、前記識別符号と対応する被調理物の調理温度条件が併せて記録され、前記識別符号読取手段は、当該識別符号と対応する前記調理温度条件とを併せて読み取り可能となっていることを特徴とする請求項１記載の調理不良判別装置。
【請求項３】
前記調理工程が、被調理物を最終の希望温度よりも所定温度手前の終了前温度まで調理する第１調理工程と、同第１調理工程で調理された被調理物に対して改めて所定時間追加調理を行う第２調理工程と、から構成されており、
前記調理温度条件と前記調理温度とは、前記第１調理工程における被調理物の調理温度条件と調理温度であることを特徴とする請求項１または請求項２記載の調理不良判別装置。
【請求項４】
前記第２調理工程における追加調理時間を基準値として設定する追加調理時間設定手段と、
第２調理工程の開始からの経過時間を検知する経過時間検知手段と、
前記経過時間検知手段で検知された前記経過時間を前記基準値と比較する比較手段と、
前記比較手段によって前記経過時間が前記基準値に達したところで報知する報知手段と、
を備えることを特徴とする請求項３記載の調理不良判別装置。
【発明の詳細な説明】
【技術分野】
【０００１】
本発明は、調理不良の有無を判別する調理不良判別装置に関する。
【背景技術】
【０００２】
従来、調理工程における温度管理の一例として、ハンディターミナルに温度センサを接続して設け、調理後に被調理物に温度センサを接触させて被調理物の調理温度等を記録するものは知られている（例えば、特許文献１参照）。
【先行技術文献】
【特許文献】
【０００３】
【特許文献１】特開２００４−１５７８０３号公報
【発明の概要】
【発明が解決しようとする課題】
【０００４】
しかしながら上記従来例のものでは、記録された温度履歴等は、調理の不具合があった後の事後確認に利用するのみであって、調理に不具合が出ること自体を未然に防止することには利用できないのが実情であった。  
本発明は上記のような事情に基づいて完成されたものであって、その目的は、調理工程が終了する前に調理不良の有無を判別できる装置を提供するところにある。
【課題を解決するための手段】
【０００５】
本発明は、被調理物を所定の調理態様により調理する調理工程における調理不良を判別する調理不良判別装置であって、前記被調理物を識別する識別符号を記録した情報記録手段から前記識別符号を読み取る識別符号読取手段と、前記識別符号読取手段によって読み取った前記識別符号に対応する被調理物の調理温度条件を基準値として設定する基準値設定手段と、前記被調理物の実際の調理温度を測定する調理温度測定手段と、前記調理温度測定手段によって測定された調理温度を前記基準値と比較する比較手段と、前記比較手段によって前記調理温度が前記基準値と照らして適切でないと判断された場合に警告する警告手段と、を備えるところに特徴を有する。
【０００６】
被調理物を調理するに当たり、識別符号読取手段により情報記録手段の対応する識別符号を読み取ると、基準値設定手段により当該被調理物の調理温度条件が基準値として設定される。調理が終了すると、調理温度測定手段によって被調理物の実際の調理温度が測定され、比較手段において測定された調理温度が基準値と比較され、同調理温度が基準値と照らして適切でないと判断された場合には、警告手段により警告が出される。これにより、調理不良があったことが判別される。これを受けて、追加の調理を施す等により、最終的に不具合のない被調理物を得ることができる。
【０００７】
また、以下のような構成としてもよい。  
（１）前記情報記録手段には、前記識別符号と対応する被調理物の調理温度条件が併せて記録され、前記識別符号読取手段は、当該識別符号と対応する前記調理温度条件とを併せて読み取り可能となっている。  
装置内に調理温度条件を予め記憶する必要が無く、記憶容量が十分に確保されない装置に適用して好適である。
【０００８】
（２）前記調理工程が、被調理物を最終の希望温度よりも所定温度手前の終了前温度まで調理する第１調理工程と、同第１調理工程で調理された被調理物に対して改めて所定時間追加調理を行う第２調理工程と、から構成されており、
前記調理温度条件と前記調理温度とは、前記第１調理工程における被調理物の調理温度条件と調理温度である。  
被調理物を最終の希望温度よりも所定温度手前の終了前温度まで調理する第１調理工程と、同第１調理工程で調理された被調理物に対して改めて所定時間追加調理を行う第２調理工程との２段階の調理工程を経るものにおいては、第１調理工程の終了後に調理不良の有無の判別がなされる。
【０００９】
（３）前記第２調理工程における追加調理時間を基準値として設定する追加調理時間設定手段と、第２調理工程の開始からの経過時間を検知する経過時間検知手段と、前記経過時間検知手段で検知された前記経過時間を前記基準値と比較する比較手段と、前記比較手段によって前記経過時間が前記基準値に達したところで報知する報知手段と、備える。  
第２調理工程における追加調理時間を任意に設定でき、第２調理工程が開始されてから追加調理時間が経過したところで、そのことが報知される。第２調理工程を正確に終了でき、最終的に不具合のない被調理物をより確実に得ることができる。
【発明の効果】
【００１０】
本発明によれば、調理工程が終了する前に調理不良の有無を判別でき、適宜処理を施すことにより、最終的に調理に不具合が出ることを未然に防止することが可能となる。
【図面の簡単な説明】
【００１１】
【図１】本発明の実施形態１に係る加熱調理器の開扉状態の正面図
【図２】芯温センサが接続されたハンディターミナルの正面図
【図３】情報記録シートの概略図
【図４】ハンディターミナルとＰＣの制御機構部を示すブロック図
【図５】加熱調理ルーチンのフローチャート
【図６】調理開始処理のフローチャート
【図７】調理終了処理のフローチャート
【図８】実施形態２に係る加熱調理工程を示す概略工程図
【図９】調理終了処理のフローチャート
【発明を実施するための形態】
【００１２】
＜実施形態１＞
本発明の実施形態１を図１ないし図７によって説明する。この実施形態では、加熱調理器（スチームコンベクションオーブン）１０において、被調理物Ｘを加熱調理する場合を例示している。  
加熱調理器１０は、ヒータ、蒸気発生装置等を備え、図１に示すように、被調理物Ｘ（例えばハンバーグ）がトレイ１１に載せられた形態で、庫内に複数段に亘って収容されるようになっている。
【００１３】
加熱調理器１０には、ハンディターミナル２０が備えられている。ハンディターミナル２０には、図２に示すように芯温センサ４０が接続可能となっており、主たる機能として、調理の開始時刻と終了時刻、並びに、被調理物Ｘの調理前と調理後の測定温度をデータとして記憶し、そののち、図４に示すように、ＰＣ（パーソナルコンピュータ）５０にデータを移して温度管理履歴として記憶するようになっている。なお、ＰＣ５０には、制御部５１、表示部５２、記憶部５３、及びＵＳＢインタフェイス５４等が設けられている。
本実施形態のハンディターミナル２０は、上記の機能に加え、被調理物Ｘの調理不良の有無を判別する機能を備えている。
【００１４】
ハンディターミナル２０には、図４に示すように、制御部２１と、表示部３０と、入力部３１と、バーコード読取部３２と、内蔵時計３３と、温度測定部３４と、記憶部３５と、音声出力部３６と、ＵＳＢインタフェイス３７と、が設けられている。  
制御部２１はＣＰＵ等を備え、格納されたプログラムに基づいて上記各部を制御するように機能するものである。  
表示部３０は液晶ディスプレイを備え、後記する各種操作等に対応した情報や、芯温センサ４０で測定した被調理物Ｘの温度等を表示ものである。  
入力部３１は、表示部３０に表示された情報を選択した上で所定のキーを押圧することにより、対応した操作信号等を入力できるようになっている。
【００１５】
バーコード読取部３２は、情報記録シート４５に設けられたバーコードＢを読み取ることに機能する。情報記録シート４５は、図３に示すように、シート４６上に複数のバーコードＢ１，Ｂ２，Ｂ３・・・Ｂｎが整列して設けられたものであって、例えば加熱調理器１０の近傍に装備されるようになっている。各バーコードＢには、被調理物Ｘ（ハンバーグ、焼売等）の種類（品目）に対応した識別符号とともに、当該被調理物Ｘの調理条件、具体的には調理時間ｔｏと、当該被調理物Ｘの調理後の希望温度（合格温度Ｔｏ）とが、データとして含まれている。  
内蔵時計３３は、時刻の呼び出しが可能となっている。
【００１６】
温度測定部３４は上記した芯温センサ４０と接続され、芯温センサ４０を用いて被調理物Ｘの実際の温度を測定し、同測定温度値を出力し得るようになっている。  
記憶部３５は、バーコード読取部３２で読み取られたバーコードＢの各種データ、内蔵時計３３から呼び出され時刻、温度測定部３４から出力された温度値等を、取り出し可能に記憶することに機能する。  
音声出力部３６は、後記する調理完了信号や警告信号を受けた場合に、調理完了音、警告音を発することに機能する。  
ＵＳＢインタフェイス３７は、ＰＣ５０のＵＳＢインタフェイス５４に接続され、データの移送に適用されるようになっている。
【００１７】
また、制御部２１には、機能部として時間演算部２２と、基準値設定部２３と、比較部２４とが設けられている。  
時間演算部２２は、入力部３１で調理開始信号が読み取られた場合の時刻（開始時刻）と、記憶部３５に記憶されている調理時間ｔｏとから完了予定時刻が演算され、内蔵時計３３から読み取られた時刻が完了予定時刻と一致した場合に、調理完了信号を出力するように機能する。
【００１８】
基準値設定部２３は、記憶部３５に記憶されている合格温度Ｔｏを基準値として、比較部２４に設定するように機能する。  
比較部２４は、芯温センサ４０を介して温度測定部３４で読み取られた被調理物Ｘの調理後の測定温度Ｔｒを、上記した基準値（合格温度Ｔｏ）と比較し、「測定温度Ｔｒ＜合格温度Ｔｏ」であった場合には、調理不良があったとみなして、警告信号を出力するようになっている。
【００１９】
続いて、加熱調理工程の一例を図５ないし図７のフローチャートを参照しつつ説明する。図５は加熱調理ルーチンを示し、調理開始処理Ｓ１００と、調理終了処理Ｓ１１０を備えている。  
また本例では、被調理物Ｘがハンバーグである場合を例示している。
【００２０】
調理開始処理Ｓ１００では、図６に示すように、準備処理として、ステップＳ１０１において、ハンディターミナル２０のバーコード読取部３２により、情報記録シート４５上の対応するバーコードＢ１が読み取られ、同バーコードＢ１に含まれた識別符号と、調理条件（調理時間ｔｏ、合格温度Ｔｏ）のデータが取り込まれて、記憶部３５に記憶される。  
それとともに、ステップＳ１０２において、芯温センサ４０により調理前の被調理物Ｘの温度が測定されて、その測定値が記憶部３５に記憶される。
【００２１】
被調理物Ｘは、図１に示すように、トレイ１１上に載せられた状態で加熱調理器１０の庫内に収容される。そののち加熱調理器１０の運転が開始される。  
それと同時に、ハンディターミナル２０においては、ステップＳ１０３において、入力部３１から調理開始信号が入力される。そのとき、内蔵時計３３から読み取られた時刻が、開始時刻として記憶部３５に記憶される。  
次に、ステップＳ１０４において、上記した調理時間ｔｏが経過したか否かが判別される。具体的には、開始時刻に調理時間ｔｏを加えた完了予定時刻と、内蔵時計３３から取り込まれる現在時刻とが比較され、現在時刻が完了予定時刻を過ぎたところで調理完了信号が出され、ステップＳ１０５において、同信号を受けて音声出力部３６から調理完了音が発せられる。
【００２２】
同調理完了音により調理完了が知らされたら、作業者は加熱調理器１０の運転を停止して、被調理物Ｘを庫内から取り出す。併せて、ハンディターミナル２０を利用して、当該被調理物Ｘの調理不良の有無を判別（合否判定）することを含めて、図７に示す調理終了処理Ｓ１１０が実行される。
【００２３】
まず、ハンディターミナル２０の入力部３１から、調理不良の有無の判別（合否判定）を行うための判定実行信号が入力される（ステップＳ１１１が「ＹＥＳ」）。判定実行信号が入力されたら、ステップＳ１１２において、記憶部３５に記憶されている当該被調理物Ｘの合格温度Ｔｏが、基準値として比較部２４に設定される。併せて、合格温度Ｔｏを表示部３０で表示するとよい。  
一方、芯温センサ４０により調理後の被調理物Ｘの温度が測定されて取り込まれ（ステップＳ１１３）、その測定温度Ｔｒが記憶部３５に調理後温度として記憶され、また表示部３０に表示される。それとともに、ステップＳ１１４において、比較部２４で同測定温度Ｔｒと合格温度Ｔｏが比較される。
【００２４】
ここで、測定温度Ｔｒが合格温度Ｔｏ以上であれば（ステップＳ１１４が「ＮＯ」）、後記するように警告音が発しなかったこと、また表示部３０に表示された測定温度Ｔｒを以て、ユーザーは調理不良が無いこと、すなわち「合格」であると判断でき、引き続いて入力部３１により調理終了信号が入力される。  
なお測定温度Ｔｒが合格温度Ｔｏ以上であった場合に（ステップＳ１１４が「ＮＯ」）、表示部３０等において「合格」に相当する表示を行ってもよい。  
調理終了信号が入力されると（ステップＳ１１５が「ＹＥＳ」）、ステップＳ１１６において、当該調理終了信号が入力された際の時刻（終了時刻）が記憶部３５に記憶され、そののち当処理が終了される。
【００２５】
それに対し、ステップＳ１１４において、測定温度Ｔｒが合格温度Ｔｏ未満であると（同ステップＳ１１４が「ＹＥＳ」）、ステップＳ１１７において警告音が出される。これによりユーザーは調理不良があったこと、すなわち「不合格」であると判断できる。そうしたら、ユーザーは、被調理物Ｘを再び加熱調理器１０に収容して、所定時間再運転する。運転時間は、表示部３０に表示された測定温度Ｔｒと合格温度Ｔｏとの差に対応して時間設定される。
【００２６】
所定の運転時間が経過したら、加熱調理器１０を停めて被調理物Ｘを取り出し、芯温センサ４０により被調理物Ｘの温度が測定される。すなわち、ステップＳ１１８において、被調理物Ｘの新たな測定温度が取り込まれ（同ステップＳ１１８が「ＹＥＳ」）、新たな測定温度Ｔｒが、記憶部３５に記憶されまた表示部３０に表示されていた先の測定温度Ｔｒに対して上書きされて変更される。それとともに、ステップＳ１１４において、合否判定が行われる。再度、「不合格」と判定されたら上記の動作が繰り返される。  
「合格」の判定がなされたら、ステップＳ１１５によって上記した終了処理がなされる。
【００２７】
なお、上記の加熱調理工程を実行する間に、ハンディターミナル２０の記憶部３５に記憶された各種データ、少なくとも、被調理物Ｘの種類（品目）に対応した識別符号、調理前後の被調理物Ｘの温度、及び加熱調理の開始時刻と終了時刻に関するデータが、ＵＳＢケーブルを介してＰＣ５０転送され、温度管理履歴として記憶される。
【００２８】
本実施形態によれば、ハンディターミナル２０を用いることにより、予定の加熱調理が終了した時点での調理不良の有無が判定され、調理不良があった場合には、警告音が出される。そのためこれを受けて、追加の調理を施すことにより、最終的に不具合のない被調理物Ｘを得ることができる。  
また、被調理物Ｘの種類（品目）に応じた調理条件は、情報記録シート４５に設けられた各バーコードＢに付すようにしてあるから、ハンディターミナル２０側に調理条件のデータを記憶する必要がなく、すなわち記憶容量が十分に確保できないハンディターミナル２０について適用して好適である。
【００２９】
＜実施形態２＞
次に、本発明の実施形態２を図６及び図８、図９によって説明する。  
この実施形態２では、加熱調理工程が上記実施形態１とは異なっている。図８に示すように、一の被調理物Ｘを加熱調理する場合において、当該被調理物Ｘの最終の希望温度（例えば８５℃）よりも所定温度手前の終了前温度（例えば７５℃）となるまで加熱調理し（第１加熱調理工程）、一旦被調理物Ｘを取り出して温度測定して確認したのち、再度加熱調理器１０に入れて所定時間追加熱し（第２加熱調理工程）、そののち終了するようになっている。
【００３０】
この実施形態２では、第１加熱調理工程が完了した時点での被調理物Ｘの温度の合否判定を行っている点と、第２加熱調理工程に係る制御が付加されている点で上記実施形態１とは異なっており、以下、主に相違点について説明する。  
実施形態２における加熱調理の制御は、図６及び図９に示すルーチンに基づいて実行されるようになっている。このうち、図６の調理開始処理から図９の調理終了処理の合否判定のステップまでは、パラメータは異なるものの実施形態１と同様のステップを踏むようになっているため、特に調理開始処理については実施形態１に示した図６のフローチャートを援用することにより、改めての説明を簡略化若しくは省略する。  
一方、第２加熱調理工程に関する制御においては、追加熱の時間を設定でき、かつ追加熱開始後に設定時間が経過したら、追加熱完了を報知する報知音が出されるようになっている。
【００３１】
上記した加熱調理のルーチンを実行するために、情報記録シート４５に設けられた各バーコードＢの調理条件には、当該被調理物Ｘにおける調理後の希望温度（調理後温度）、同調理後温度よりも所定温度低い終了前温度（合格温度Ｔｏ）、同合格温度Ｔｏに達するまでに要する調理時間ｔｏ、並びに追加熱時間ｔａが、データとして含まれている。  
ハンディターミナル２０に備えられた入力部３１には、追加熱開始信号を入力する機能が付加されている。
【００３２】
また、制御部２１には、図示はしないが、追加熱時間演算部が付加されており、この追加熱時間演算部では、入力部３１で追加熱開始信号が読み取られた場合の時刻（追加熱開始時刻）と、記憶部３５に記憶されている追加熱時間ｔａとから追加熱完了時刻が演算され、内蔵時計３３から読み取られた時刻が追加熱完了時刻と一致した場合に、追加熱完了信号を出力するように機能する。  
音声出力部３６には、上記の追加熱完了信号を受けた場合に、追加熱完了の報知音を発する機能が付加されている。
【００３３】
続いて、加熱調理の一例を図６及び図９のフローチャートを参照しつつ説明する。  
調理開始処理では、図６に示すように、準備処理として、ステップＳ１０１において、バーコード読取部３２により、情報記録シート４５上の対応するバーコードＢ１が読み取られ、同バーコードＢ１に含まれた識別符号と、調理条件（調理時間ｔｏ、合格温度Ｔｏ、追加熱時間ｔａ、調理後温度）のデータが取り込まれて、記憶部３５に記憶される。  
それとともに、ステップＳ１０２において、芯温センサ４０により調理前の被調理物Ｘの温度が測定されて、その測定値が記憶部３５に記憶される。
【００３４】
被調理物Ｘが収容されたのち加熱調理器１０の運転が開始されると、ステップＳ１０３において、入力部３１から調理開始信号が入力され、併せて内蔵時計３３から読み取られた時刻が、開始時刻として記憶部３５に記憶される。  
経時後に調理時間ｔｏが経過したことが判別されると（ステップＳ１０４が「ＹＥＳ」）、ステップＳ１０５において、音声出力部３６から調理完了音が発せられる。
【００３５】
調理完了音により終了前温度までの調理（第１加熱調理工程）が完了したことが知らされたら、作業者は加熱調理器１０の運転を停止して、被調理物Ｘを庫内から取り出す。併せて、当該被調理物Ｘの調理不良の有無を判別（合否判定）することを含めて、図９に示す調理終了処理が実行される。  
まず、調理不良の有無の判別（合否判定）を行うための判定実行信号が入力され、同判定実行信号が入力されたら（ステップＳ１１１が「ＹＥＳ」）、ステップＳ１１２において、記憶部３５に記憶されている当該被調理物Ｘの合格温度Ｔｏが、基準値として比較部２４に設定される。併せて、合格温度Ｔｏを表示部３０で表示するとよい。  
一方、芯温センサ４０により取り出された被調理物Ｘの温度が測定され、その測定温度Ｔｒが表示部３０に表示される。それとともにステップＳ１１４において、測定温度Ｔｒと合格温度Ｔｏが比較される。
【００３６】
ここで、測定温度Ｔｒが合格温度Ｔｏ以上であれば（ステップＳ１１４が「ＮＯ」）、後記するように警告音が発しなかったことを以て、ユーザーは調理不良が無いこと、すなわち「合格」であると判断でき、引き続いて追加熱処理を行う。  
追加熱処理を行うに当たっては、被調理物Ｘを加熱調理器１０に入れて再運転するとともに、入力部３１により追加熱開始信号を入力する。
【００３７】
追加熱開始信号が入力されると（ステップＳ１２１が「ＹＥＳ」）、ステップＳ１２２において、上記した追加熱時間ｔａが経過したか否かが判別される。追加熱時間ｔａが経過したら（ステップＳ１２２が「ＹＥＳ」）、追加熱完了信号が出され、ステップＳ１２３において、同信号を受けて音声出力部３６から追加熱が完了した旨の報知音が発せられる。
【００３８】
報知音が発せられると、作業者は追加熱処理（第２加熱調理工程）が完了したと判断し、加熱調理器１０を停止するとともに、必要に応じて被調理物Ｘを庫外に取り出す。それとともに、入力部３１により調理終了信号を入力する。  
調理終了信号が入力されると（ステップＳ１１５が「ＹＥＳ」）、ステップＳ１１６において、当該調理終了信号が入力された際の時刻（終了時刻）が記憶部３５に記憶され、そののち当ルーチンが終了される。
【００３９】
それに対し、ステップＳ１１４において、測定温度Ｔｒが合格温度Ｔｏ未満であると（同ステップＳ１１４が「ＹＥＳ」）、ステップＳ１１７において、警告音が出される。これによりユーザーは調理不良があったこと、すなわち「不合格」であると判断できる。そうしたら、ユーザーは、被調理物Ｘを再び加熱調理器１０に収容して、所定時間再運転する。運転時間は、表示部３０に表示された測定温度Ｔｒと合格温度Ｔｏとの差に対応して時間設定する。
【００４０】
所定の運転時間が経過したら、加熱調理器１０を停めて被調理物Ｘを取り出し、芯温センサ４０により被調理物Ｘの温度が測定される。すなわち、ステップＳ１１８において、被調理物Ｘの新たな測定温度Ｔｒが取り込まれ（同ステップＳ１１８が「ＹＥＳ」）、新たな測定温度Ｔｒが、表示部３０に表示されていた先の測定温度Ｔｒに対して上書きされて変更される。それとともに、ステップＳ１１４において、合否判定が行われる。再度、「不合格」と判定されたら、上記の動作が繰り返される。「合格」の判定がなされたら、追加熱処理（第２加熱調理工程）が実行される。
【００４１】
また同様に、上記の加熱調理工程を実行する間に、ハンディターミナル２０の記憶部３５に記憶された各種データ、少なくとも、被調理物Ｘの種類（品目）に対応した識別符号、調理前後の被調理物Ｘの温度、及び加熱調理の開始時刻と終了時刻に関するデータが、ＵＳＢケーブルを介してＰＣ５０に転送され、温度管理履歴として記憶される。
【００４２】
実施形態２によれば、ハンディターミナル２０を用いることにより、被調理物Ｘをその最終の希望温度よりも所定温度手前の終了前温度となるまで加熱調理する第１加熱調理工程の終了時点において、調理不良の有無が判別され、調理不良があった場合には、警告音が出される。そのためこれを受けて追加の加熱調理を施すことにより、第１加熱調理工程時の合格温度Ｔｏが確保される。引き続き第２加熱調理工程を実施することにより、最終的に不具合のない被調理物Ｘを得ることができる。  
また、第２加熱調理工程における追加熱時間ｔａを任意に設定でき、第２加熱調理工程が開始されてから追加熱時間ｔａが経過したところで、そのことが報知される。第２加熱調理工程を正確に終了でき、最終的に不具合のない被調理物Ｘをより確実に得ることができる。
【００４３】
＜他の実施形態＞
本発明は上記記述及び図面によって説明した実施形態に限定されるものではなく、例えば次のような実施形態も本発明の技術的範囲に含まれる。  
（１）上記実施形態では、情報記録手段であるバーコードに対して、被調理物の識別符号とともに同被調理物の調理温度条件が併せて記録されている場合を例示したが、バーコードについては識別符号のみに留め、調理温度条件はハンディターミナル側に予め記憶させておくようにしてもよい。  
（２）情報記録手段としては、上記実施形態に例示したバーコードに限らず、ＲＦＩＤタグ等の他の手段を採用してもよい。
（３）上記実施形態では、被調理物の温度を測定する温度センサとして、内部温度を測定する芯温センサを例示したが、表面温度を測定する放射温センサを適用してもよく、また両センサを選択的に適用するようにしてもよい。
【００４４】
（４）調理不良があった場合にこれを警告する手段としては、上記実施形態に例示した音声による警告に限らず、警告ランプを点灯したり、表示部に警告信号を表示する等の光学的な警告手段であってもよい。  
（５）調理時間や追加熱時間の計測は、内蔵タイマによって行うようにしてもよい。  
（６）上記実施形態では、スチーム加熱調理に適用した場合を例示したが、焼き調理、揚げ調理等の他の形態の加熱調理についても同様に適用することができる。  
（７）さらに本発明は、加熱調理に限らず、被調理物を温度管理しつつ冷却するようにした冷却調理を行う場合等、他の形態の調理工程についても同様に適用することができる。
【符号の説明】
【００４５】
１０…加熱調理器  ２０…ハンディターミナル  ２１…制御部  ２３…基準値設定部（基準値設定手段）  ２４…比較部（比較手段）  ３２…バーコード読取部（識別符号読取手段）  ３４…温度測定部（調理温度測定手段）  ３６…音声出力部（警告手段）  ４０…芯温センサ（調理温度測定手段）  Ｂ…バーコード（情報記録手段）  Ｔｏ…合格温度（基準値）  Ｔｒ…測定温度（実際の調理温度）  ｔａ…追加熱時間（基準値）  Ｘ…被調理物
【図１】
2014156978.tif 000003
【図２】
2014156978.tif 000004
【図３】
2014156978.tif 000005
【図４】
2014156978.tif 000006
【図５】
2014156978.tif 000007
【図６】
2014156978.tif 000008
【図７】
2014156978.tif 000009
【図８】
2014156978.tif 000010
【図９】
2014156978.tif 000011